(57)【特許請求の範囲】
【請求項１】
脚フレームに支持体を介して背凭れを支持させた椅子であって、
前記背凭れが、背板本体と、この背板本体の側縁における上下方向中間部から正面視において外方に突出した片状の部位により構成された張り出し部とを有した背板を備えたものであり、
前記支持体が、前端部を取付部を介して前記脚フレームに支持させるとともに後端部を前記張り出し部に接続した主支持部材と、この主支持部材の下側に離間させて設けられ前端部を取付部を介して前記脚フレームに支持させるとともに後端部を前記張り出し部に接続した補助支持部材とを備えたものであり、
前記張り出し部が、上部領域と下部領域とこれら上部領域と下部領域との間に位置する中部領域とを備えているものであり、
前記主支持部材の後端部が前記上部領域に連設されており、前記補助支持部材の後端部が前記下部領域に連設されている椅子。
【請求項２】
前記主支持部材と前記補助支持部材とが、非平行に配されたものであり、前記主支持部材と前記補助支持部材の前端部間の離間距離が、前記主支持部材と前記補助支持部材の後端部間の離間距離よりも長い請求項１記載の椅子。
【請求項３】
前記主支持部材が、前記補助支持部材よりも薄肉に形成されたものである請求項１又は２記載の椅子。
【請求項４】
前記背板と前記支持体の少なくとも全部又は一部が、合成樹脂により一体に形成されている請求項１、２又は３記載の椅子。
【請求項５】
前記主支持部材が、上面に肘当て面を備えたものである請求項１、２、３又は４記載の椅子。
【請求項６】
前記支持体が、上面に肘当て面を有した肘掛けである請求項１、２、３、４又は５記載の椅子。
【請求項７】
前記背板が、着座者の腰に対応する高さ位置に前記張り出し部を備えている請求項１、２、３、４、５又は６記載の椅子。
【請求項８】
前記主支持部材が、側面視において前傾した姿勢をなすものであり、
前記補助支持部材が、側面視において前記主支持部材よりも前傾した姿勢をなすものである請求項１、２、３、４、５、６又は７記載の椅子。
【請求項９】
前記脚フレームが、上部側が下部側よりも前側に位置するように前傾した態様で上下方向に延びてなる後脚を備えたものであり、
前記主支持部材と前記補助支持部材とが、非平行に配されたものであり、前記補助支持部材が前記後脚が延びる方向に対して略垂直に延びるように設けられている請求項１、２、３、４、５、６、７又は８記載の椅子。
【発明の詳細な説明】
【技術分野】
【０００１】
本発明は、事務用や学校用等として好適に使用される椅子に関する。
【背景技術】
【０００２】
従来から、パイプ材等を主体にして脚フレームを構成し、その脚フレームにおける後脚の上端部に肘掛けの前端部を接続するとともに当該肘掛けの後端部を背凭れに接続するようにした椅子が知られている。この種の椅子の背凭れは、肘掛けのみに支持されるように構成されており、当該肘掛けは前後に比較的短寸なものとなっている（例えば特許文献１参照）。
【０００３】
前記肘掛けは、強度を保持するべく上下方向の寸法が比較的大きく設定されている。このため、当該肘掛けは、見る者に対して、視覚的に重たいような雰囲気を印象付けてしまう場合がある。しかも、当該上下方向の寸法が比較的大きく設定された肘掛けの後端部は、背凭れの前面側の広い領域に接続したものとなっているため、背凭れが肘掛けに対して柔軟に撓みにくい設計になっていた。
【先行技術文献】
【特許文献】
【０００４】
【特許文献１】特開２００４−１９４９１８号公報
【発明の概要】
【発明が解決しようとする課題】
【０００５】
本発明は、以上のような事情に着目してなされたもので、少なくとも、背凭れを支持するための強度は保持しつつ背凭れの撓みが許容されやすい構成を備えた椅子を提供することにある。
【課題を解決するための手段】
【０００６】
すなわち、本発明は次の構成をなしている。
【０００７】
請求項１に記載の椅子は、脚フレームに支持体を介して背凭れを支持させた椅子であって、前記背凭れが、背板本体と、この背板本体の側縁における上下方向中間部から正面視において外方に突出した片状の部位により構成された張り出し部とを有した背板を備えたものであり、前記支持体が、前端部を取付部を介して前記脚フレームに支持させるとともに後端部を前記張り出し部に接続した主支持部材と、この主支持部材の下側に離間させて設けられ前端部を取付部を介して前記脚フレームに支持させるとともに後端部を前記張り出し部に接続した補助支持部材とを備えたものであり、前記張り出し部が、上部領域と下部領域とこれら上部領域と下部領域との間に位置する中部領域とを備えているものであり、前記主支持部材の後端部が前記上部領域に連設されており、前記補助支持部材の後端部が前記下部領域に連設されている。
【０００８】
請求項２に記載の椅子は、請求項１記載の構成において、前記主支持部材と前記補助支持部材とが、非平行に配されたものであり、前記主支持部材と前記補助支持部材の前端部間の離間距離が、前記主支持部材と前記補助支持部材の後端部間の離間距離よりも長いものである。
【０００９】
請求項３に記載の椅子は、請求項１又は２記載の構成において、前記主支持部材が、前記補助支持部材よりも薄肉に形成されたものである。
【００１０】
請求項４に記載の椅子は、請求項１、２又は３記載の構成において、前記背板と前記支持体の少なくとも全部又は一部が、合成樹脂により一体に形成されているものである。
【００１１】
請求項５に記載の椅子は、請求項１、２、３又は４記載の構成において、前記主支持部材が、上面に肘当て面を備えたものである。
【００１２】
請求項６に記載の椅子は、請求項１、２、３、４又は５記載の構成において、前記支持体が、上面に肘当て面を有した肘掛けであるものである。
【００１３】
請求項７に記載の椅子は、請求項１、２、３、４、５又は６記載の構成において、前記背板が、着座者の腰に対応する高さ位置に前記張り出し部を備えているものである。
請求項８に記載の椅子は、請求項１、２、３、４、５、６又は７記載の構成において、前記主支持部材が、側面視において前傾した姿勢をなすものであり、前記補助支持部材が、側面視において前記主支持部材よりも前傾した姿勢をなすものである。
請求項９に記載の椅子は、請求項１、２、３、４、５、６、７又は８記載の構成において、前記脚フレームが、上部側が下部側よりも前側に位置するように前傾した態様で上下方向に延びてなる後脚を備えたものであり、前記主支持部材と前記補助支持部材とが、非平行に配されたものであり、前記補助支持部材が前記後脚が延びる方向に対して略垂直に延びるように設けられているものである。
【発明の効果】
【００１４】
以上説明したように本発明によれば、背凭れを支持するための強度は保持しつつ背凭れの撓みが許容されやすい構成を備えた椅子を提供することができる。
【図面の簡単な説明】
【００１５】
【図１】本発明の一実施形態を示す斜視図。
【図２】同実施形態における正面図。
【図３】同実施形態における右側面図。
【図４】同実施形態における平面図。
【図５】同実施形態における背面図。
【図６】同実施形態における底面図。
【図７】同実施形態におけるスタッキング状態を示す右側面図。
【図８】図２におけるＡ−Ａ線断面図。
【図９】同実施形態における分解斜視図。
【図１０】座板を説明するための底面図。
【図１１】座板を説明するための平面図。
【図１２】他の実施形態を示す分解斜視図。
【発明を実施するための形態】
【００１６】
以下、本発明の一実施形態を、図１〜１１を参照して説明する。なお、図１１では、座板４２の説明の便宜のため、被覆部材４３を省略したものを示している。
【００１７】
この実施形態は、本発明を前後方向にネスティング可能な椅子Ｃ、換言すれば水平方向にスタッキング可能な椅子Ｃに適用したものである。椅子Ｃは、図７に具体的に示すように、座４を跳ね上げ位置（Ｈ）に保持した状態で同一構造をなす他の椅子Ｃ’と前後方向にネスティングし得るように構成されているものである。
【００１８】
椅子Ｃは、椅子本体たる脚フレーム１に支持体である肘掛け２を介して背凭れ３を支持させるとともに前記脚フレーム１に対して座４を使用位置（Ｕ）と跳ね上げ位置（Ｈ）との間で回動可能に支持させている。すなわち、前記座４が使用位置（Ｕ）にある状態で、当該座４が直接的に前記脚フレーム１に支持されて略水平をなすように位置決めされている。
【００１９】
以下、この椅子Ｃについて詳述する。
【００２０】
椅子本体である脚フレーム１は、金属製のパイプ材を主体に構成されたものである。脚フレーム１は、下端にキャスタ１１１を有した左右の後脚１１と、下端にキャスタ１２１を有するとともに上端を前記左右の後脚１１の上部に接続した左右の前脚１２と、これら左右の前脚１２の中間部同士を繋ぐ連結部材たる第一の横架材１３と、この第一の横架材１３よりも後側の位置において前記左右の前脚１２同士を繋ぐ第二の横架材１４とを備えてなる。
【００２１】
左右の後脚１１は、上部側が下部側よりも前側に位置するように前傾した態様で上下方向に延びてなるものであり、その上部は肘掛け２及び背凭れ３を支持するための肘掛け２及び背凭れ３用支持フレームとしての役割を担っている。後脚１１の上端部には、背板３１と一体に形成された肘掛け２が装着されるようになっている。後脚１１は、上端部に細径をなす柱状の芯材である肘掛け接続部１１２を備えており、この肘掛け接続部１１２に後述する肘掛け２の取付部２３が装着されるようになっている。左右の前脚１２の総幅すなわち離間幅は、後脚１１の離間幅よりも狭くなっている。また、後脚１１と接続する付近の部位である前脚１２の上端部は、内方側から外側方に向かって湾曲した形状をなしている。
【００２２】
左右の前脚１２は、上部側が下部側よりも後側に位置するように後傾した態様で上下方向に延びてなるものであり、これら左右の前脚１２に前記第一の横架材１３及び第二の横架材１４が連結されている。
【００２３】
第一の横架材１３は、正面視において上向き凸状をなすように形成されたものであり、その左右方向中間部に左右方向に水平に延びる水平部１３１を備えている。水平部１３１は、使用位置（Ｕ）にある座４の下面、より具体的には、使用位置（Ｕ）にある座４における座裏カバー４４の下面に添接するものであり、当該座４を下方から受け止めるようになっている。
【００２４】
第二の横架材１４は、左右両端部に配され座４を枢支する軸部を構成する枢支部１４１と、これら左右の枢支部１４１の間に配され正面視において下方に向けて湾曲した形状をなす中間部１４２とを備えている。中間部１４２は、下方に向けて凸をなすように湾曲しており、その上には座板４２が着座者の荷重を受けた際に下方に向かって撓み得るための撓み許容空間ｓｐを有している。なお、前脚１１には左右の枢支部１４１のみを設け、中間部１４２が無いものとしてもよい。すなわち、枢支部１４１は、少なくとも座４を回転支持し得る部位を備えていればよく、左右に分断されてこれら左右間がつながっていないものであってもよい。
【００２５】
次いで、支持体である肘掛け２について説明する。
【００２６】
肘掛け２は、背凭れ３を脚フレーム１に支持させるものである。すなわち、肘掛け２は、前端部を上下方向に延びる取付部２３を介して脚フレーム１における後脚１１の上部に支持させるとともに後端部を後述する背板３１の張り出し部３１２に接続した主支持部材２１と、この主支持部材２１の下側に離間させて設けられ前端部を前記取付部２３を介して前記脚フレーム１に支持させるとともに後端部を前記張り出し部３１２に接続した補助支持部材２２とを備えている。この実施形態では、肘掛け２と後述する背板３１とが合成樹脂により一体に形成されている。
【００２７】
主支持部材２１は、上面に肘当て面２１ｓを有したものであり、前後方向に延びる矩形棒状のものである。主支持部材２１は、補助支持部材２２と協働して背板３１を支持する役割を担う。主支持部材２１の前端部は後脚１１に装着される取付部２３の上部に一体に連設されている。主支持部材２１の後端は前記背板３１の張り出し部３１２に一体に連設されている。主支持部材２１は、側面視において後部側が前部側よりも上に位置するように略水平から若干前傾した姿勢をなしている。主支持部材２１の前端部２１１は、前方に向かって取付部２３の前側の外面２３ｓよりも前側に突出した形状をなしており、着座者が手を掛け易い形状になっている。
【００２８】
補助支持部材２２は、前後方向に延びる矩形棒状のものであり、主支持部材２１と協働して背板３１を支持する役割を担うものである。補助支持部材２２の前端は、前記取付部２３の下部に一体に連設されている。補助支持部材２２の後端は、前記背板３１の張り出し部３１２に一体に連設されている。補助支持部材２２は、側面視において主支持部材２１よりも後部側が前部側よりも上に位置するように前傾した姿勢をなしている。
【００２９】
主支持部材２１と補助支持部材２２は、互いに離れた位置に配されており、且つ、側面視において平行にならない態様で配されている。換言すれば、肘掛け２は、主支持部材２１と補助支持部材２２とが非平行に配されたものとなっている。また、補助支持部材２２は、主支持部材２１よりも側面視において厚肉に形成されている。つまり、肘当て面２１ｓを備えた主支持部材２１が、補助支持部材２２よりも薄肉に形成されており、見る者に対して視覚的に軽いような雰囲気を印象付け得るようになっている。補助支持部材２２は、脚フレーム１の上端部が延びる方向に対して略垂直に延びるように設けられている。換言すれば、補助支持部材２２は、後脚１１の上端部における前側面や後側面に対して略直角となる方向に延びている。
【００３０】
取付部２３は、下方に開口した円筒状のものであり、後脚１１の上端部に外嵌され、取付部２３の後部から挿通されたねじｖ１により後脚１１に対して止着されるようになっている。より具体的に言えば、後脚１１は、上端部に金属製の円柱状をなす芯材たる肘掛け接続部１１２を備えており、この肘掛け接続部１１２に対して取付部２３が包着された状態でねじｖ１により固定されている。外部に表出した後脚１１の外面１１ｓと取付部２３の外面２３ｓとは略面一になるように設定されている。また、正面視において、取付部２３の幅寸法と補助支持部材２２の幅寸法は略同じ寸法に設定されている。
【００３１】
次いで背凭れ３について説明する。
【００３２】
背凭れ３は、肘掛け２とともに合成樹脂により一体に形成された背板３１を主体に構成されたものである。背凭れ３は、側縁に張り出し部３１２を備えている。より具体的に言えば、背凭れ３は、正面視において略矩形状をなす背板本体３１１と、この背板本体３１１の側縁における上下方向中間部から外方に突出した張り出し部３１２とを備えている。
【００３３】
背板本体３１１は、平面視において後方に向けて凸をなすように湾曲するとともに側面視において前方に向けて凸をなすように湾曲した形状をなしており、左右の張り出し部３１２の上下方向中間部間に位置する部位を避けた上部領域に前後方向に貫通する複数の貫通孔３１１ａが形成されている。背板本体３１１は、下縁に下方に向けて開口する溝ｍｚを有しており、背板本体３１に対して図示しない背凭れカバーを装着する際に当該背凭れカバーの端部を保持することができるようにしてある。
【００３４】
張り出し部３１２は、背板本体３１１の両側縁における中間部から外方に突出した片状の部位を主体に構成されており、着座者の腰に対応する高さ位置に設けられている。張り出し部３１２は、上部領域３１２ａと下部領域３１２ｃとこれら上部領域３１２ａと下部領域３１２ｃとの間に位置する中部領域３１２ｂとを備えている。そして、肘掛け２における主支持部材２１の後端部は、張り出し部３１２の上部領域３１２ａに連設されており、肘掛け２における補助支持部材２２の後端部は、張り出し部３１２の下部領域３１２ｃに連設されている。張り出し部３１２の上端面３１２ｓはなだらかな曲面状をなしており、前端部において肘掛け２における主支持部材２１の肘当て面２１ｓと面一に連続するとともに後端部において背板本体３１１の側端面３１１ｓと面一に連続するようになっている。
【００３５】
続いて座４について説明する。
【００３６】
座４は、パイプ材を主体に構成された座支持フレーム４１と、この座支持フレーム４１上に配された座板４２と、この座板４２の上面側を被覆する被覆部材４３と、前記座支持フレーム４１の主要部分及び座板４２の裏側を下方からカバーするための座裏カバー４４とを備えたものである。
【００３７】
座支持フレーム４１は、左右に対向するとともに前記脚フレーム１に対して上下方向に回転可能な左右のフレームたる側枠部材４１１ａを有したものであり、この実施形態では四角枠状をなしている。これら左右のフレームたる側枠部材４１１ａは、座４が使用位置（Ｕ）にある状態で脚フレーム１に軸保持部材ｗを介して間接的に支持されて略水平の姿勢をとるものである。座支持フレーム４１は、環状をなす座支持フレーム本体４１１と、この座支持フレーム本体４１１の側枠部材４１１ａ間に架設された横架材たる座横架材４１２とを備えたものである。
【００３８】
座支持フレーム本体４１１は、座板４２の側部の下面を下方から支持する側枠部材４１１ａと、これら側枠部材４１１ａの前端部間を接続する前枠部材４１１ｂと、前記側枠部材４１１ａの後端部間を接続する後枠部材４１１ｃとを備えたものであり、金属製の丸形パイプ材を用いて環状に構成されている。つまり、座支持フレーム本体４１１は、後述する座板４２の変形領域ｘに対応する部分に曲面を有したパイプ状のものである。側枠部材４１１ａの後部には、第二の横架材１４の枢支部１４１に対して回動可能に係わり合う軸保持部材ｗが下方に突出して設けられている。
【００３９】
座横架材４１２は、扁平のパイプ材により形成されたものであり、下方に向けて凸をなす形状をなしている。換言すれば、左右の側枠部材４１１ａは、左右方向に延び前記座板４２が下方に向かって撓むことが可能な撓み空間を形成するべく下方に迂回するように湾曲又は屈曲した横架材たる座横架材４１２によって連結されている。座横架材４１２の上には、着座者の荷重を受けた際に、前記座板４２が下方に撓むのを許容し得る空間である撓み許容空間ｓｐが形成されている。座横架材４１２は、その左右方向中間部に左右方向に水平に延びる水平部４１２ａを備えている。水平部４１２ａは、座４が使用位置（Ｕ）にある状態で、座裏カバー４４を介して脚フレーム１における第一の横架材１３の水平部１３１の真上に位置するようになっている。換言すれば、座裏カバー４４は、座４が使用位置（Ｕ）にある状態で、脚フレーム１の第一の横架材１３と座支持フレーム４１の座横架材４１２とによって挟まれる構造をなしている。
【００４０】
なお、座支持フレーム４１１は、左右の側枠部材４１１ａを座横架材４１２で接続するだけの形状としてもよい。換言すれば、座支持フレーム４１１は、前枠部材４１１ｂ及び後枠部材４１１ｃを省略し、例えば、平面視略Ｈ字状をなすものとしてもよい。
【００４１】
座板４２は、合成樹脂により形成された座板本体４２１と、この座板本体４２１の平面視における中央部に配された受圧部材たるメッシュ状の張材４２２とを備えている。座板４２は、平面視における周辺部よりも中央部が厚み方向に撓みやすい構造をなしている。なお、この実施形態における前記中央部は受圧部材たる張材４２２が配されており、前記周辺部は、座板本体４２１が配されている。
【００４２】
座板本体４２１は、平面視における中央部が開口した形状をなしている。すなわち、座板本体４２１は、前記座支持フレーム４１に係わり合う座板端縁部４２１ａとこの座板端縁部４２１ａの内側に位置する窓部４２１ｂとを備えたものである。
【００４３】
座板端縁部４２１ａは、平面視において前記座支持フレーム４１の座支持フレーム本体４１１と重なる位置に配され着座者の荷重を受けた際に前記座支持フレーム本体４１１の外面に沿って下方に弾性変形し得る変形領域ｘと、この変形領域ｘの外側に配され前記座支持フレーム本体４１１を保持するフレーム係合領域ｙと、このフレーム係合領域ｙの外側に設けられた延出領域ｚとを備えている。変形領域ｘは座支持フレーム本体４１１と重なる位置、換言すれば、変形領域ｘは、座支持部フレーム本体４１１を構成するパイプ材における幅方向中間部上の位置に設けられている。この実施形態では、変形領域ｘの外側寄りの範囲が、座支持部フレーム本体４１１の少なくとも内側寄りの範囲と重なっている。
【００４４】
変形領域ｘは、前記座支持フレーム本体４１１に沿って環状に形成されている。変形領域ｘは、座板端縁部４２１ａにおける他の領域よりも厚み方向に撓み易い構造をなしている。この実施形態では、変形領域ｘは、所定の間隔で形成された複数の貫通孔ｘ１を備えており、隣り合う貫通孔ｘ１間に帯状部ｘ２が形成されるようになっている。帯状部ｘ２は平面視において、座支持フレーム本体４１１の真上にも位置しており、着座者の荷重が座板４２の中心部分に作用した際に、座支持フレーム本体４１１の外面に沿うような変形が惹起されるようになっている。
【００４５】
フレーム係合領域ｙは、前記座支持フレーム本体４１１の外側に沿うリブｙ１と、このリブｙ１の基端部が接続する略水平板状をなす板状部分ｙ２とを備えている。このリブｙ１は、前記座板４２の周辺部４２１ａに形成されるものであり座裏カバー４４方向に延びるように突設された壁状のものである。この実施形態ではリブｙ１は、環状をなす座支持フレーム本体４１１の全周に亘って外側に沿うように設けられている。すなわち、リブｙ１は、座板４２の上面の一部を形成する水平板状をなした板状部分ｙ２から略直角に下方に向かって立設されている。フレーム係合領域ｙは、前記板状部分ｙ２及びリブｙ１により少なくとも断面視Ｌ字状の部位を備えており、座支持フレーム本体４１１の上側と外側を部分的に覆い得るように配されており、且つ、着座者の荷重を受けた際に、座支持フレーム本体４１１に対して摺接して相対移動できるようになっている。
【００４６】
延出領域ｚは、フレーム係合領域ｙにおけるリブｙ１の外側に延出して設けられたものであり、座板４２の周端縁ｚ１を有している。延出領域ｚは、板状の部材により構成された環状すなわち四角枠状の部分であり、変形領域ｘよりも剛性を有したものとなっている。
【００４７】
なお、座板４２は、ねじｖ２により座支持フレーム本体４１１に取り付けられている。より具体的には、座板４２は、リブｙ１を通過したねじｖ２を座支持フレーム４１の後枠部材４１１ｃに螺合することにより座支持時フレーム４１に取り付けられている。座板４２は、リブｙ１の内側に環状の座支持フレーム本体４１１を近接した状態で配するとともに、座支持フレーム４１１の後枠部材４１１ｃにのみねじｖ２によりねじ止めされているため、座支持フレーム４１１に対して座板４２が着座者の荷重を受けた際に相対移動し得るようになっている。
【００４８】
受圧部材たる張材４２２は、座板４２の平面視における中央部に位置するものであり、前記座板本体４２１の窓部４２１ｂに配され着座者からの荷重を受けるものである。張材４２２は、着座者の荷重を受けた際に下方に大きく撓みやすいものであり、この実施形態では、メッシュ状のものが採用されている。張材４２２は、座板本体４２１に対して熱溶着により止着されている。なお、座板４２は種々の方法により形成することができるものであり、例えば、座板４２全体を形成する段階でその構成部位である張材４２２を金型に投入するようにしてもよい。また、張材４２２は、種々のものを適用することができるものであるが、図１０及び図１１では、説明の便宜上、他の部位と区別し易いように網目を大きめにしたものを表示している。
【００４９】
被覆部材４３は、座板４２を上側から覆うものであり、伸縮性のある張地４３１と、この張地４３１の下側に配された比較的肉厚の薄いクッション材４３２とを備えている。被覆部材４３は、座板本体４２１や張材４２２の上面を被覆して外観を整える役割を担っている。
【００５０】
座裏カバー４４は、下方に膨らんだ形状をなした合成樹脂製のシェル状のものであり、座板４２の下面を覆うものである。この実施形態では、座裏カバー４４は、座板４２の周縁を除く下面部分と、座支持フレーム４１と、脚フレーム１における第二の横架材１４の中間部１４２を下方から覆っているものである。座裏カバー４４は、その外周縁に前記座板４２方向に延びる起立壁４４２を備えている。より詳しく言えば、座裏カバー４４は、下方に膨らんだ形状をなす座裏カバー本体４４１と、この座裏カバー本体４４１の周縁部に連続して設けられた起立壁４４２とを備えたものである。座裏カバー４４は、少なくともその平面視における中間部が、座板４２の対応する中間部と、離間して配されている。より具体的に言えば、座裏カバー４４の中間部と座板４２の中間部とは、座板４２の厚み方向への撓みを許容するための撓み空間ｓｐを隔てて離間して配されている。
【００５１】
座裏カバー本体４４１は、前後方向中間部における上面側に座横架材４１２が配される位置決め凹部４４１ａを備えるとともに左右の側部に軸保持部材ｗを配するための凹み部４４１ｃを備えている。また、座裏カバー本体４４１は、下面側に脚フレーム１における連結部材たる第一の横架材１３が当接し得る横架材当接部４４１ｄを備えるとともに第一の横架材１３の前後すなわち前記横架材当接部４４１ｄの前後に突条４４１ｂを配している。
【００５２】
この座裏カバー４４は、座板４２に立設されたリブｙ１の外側に前記起立壁４４２を位置させた状態で前記座板４２に対して適宜の方法で取り付けられている。その一例としては、座裏カバー４４の起立壁４４２には図示しない鉤状のフックが上方に向かって突設されており、このフックを座板４２の対応する位置に設けられた図示しない係合孔に係わらせることにより、座裏カバー４４が座板４２に対して取り付けられるようになっている。
【００５３】
以上に説明した座４が使用位置（Ｕ）にある状態で、上から前記座横架材４１２、前記座裏カバー４４、前記脚フレームの第一の横架材１３の順序で重なるようになっている。
【００５４】
以上説明したように、本実施形態に係る椅子Ｃは、脚フレーム１に支持体である肘掛け２を介して背凭れ３を支持させたものである。そして、前記背凭れ３が、側縁に張り出し部３１２を有した背板３１を備えたものであり、前記肘掛け２が、前端部を取付部２３を介して前記脚フレーム１に支持させるとともに後端部を前記張り出し部３１２に接続した主支持部材２１と、この主支持部材２１の下側に離間させて設けられ前端部２１１を取付部２３を介して前記脚フレーム１に支持させるとともに後端部を前記張り出し部３１２に接続した補助支持部材２２とを備えている。このため、背凭れ３を支持するための強度は保持しつつ背凭れ３の撓みが許容されやすい構成を備えた椅子Ｃを提供することができるものとなる。すなわち、主支持部材２１と補助支持部材２２とが協働して背凭れ３を支持するものとなるため、背凭れ３が肘掛け２を介して脚フレーム１に支持されている構造のものにおいて、強度を高めるための設計の自由度に優れたものとなる。また、主支持部材２１の後端部と補助支持部材２２の後端部が張り出し部３１２に接続しているため、背板本体３１１と張り出し部３１２との相対的な移動が許容され易いものとなり背板本体３１１が着座者の荷重を受けて柔軟に撓みやすいものとなっている。
【００５５】
しかも、補助支持部材２２が存在することによって主支持部材２１の厚み寸法を短く設定することができるため、厚み寸法の比較的短い主支持部材２１を配することにより見る者に対して視覚的に軽いような雰囲気を印象付け得るものとなり、椅子Ｃ全体の意匠性の向上に寄与し得るものとなっている。
【００５６】
この実施形態における椅子Ｃは、着座者の荷重が背凭れ３に作用している際には、主支持部材２１には主として引っ張り力が作用し、補助支持部材２２には圧縮力が作用するものとなっている。そして、引っ張り力が作用する主支持部材２１を、比較的薄肉状に設計可能に構成している。つまり、圧縮力が作用する補助支持部材２２側を比較的厚肉に形成し、剛性を保持するようにしているため、主支持部材２１側を引っ張り力に対応し得る程度に薄く形成することができる。このため、使用者等に注目され易い部位である主支持部材２１を視覚的に軽い印象を与え得るものとすることができる。
【００５７】
主支持部材２１と補助支持部材２２間に空間が形成されるため、その部分に手を入れて移動させることができるものとなる。よって、椅子Ｃを移動させる際に、他の家具や同一構造をなす他の椅子Ｃ’等に手が当たったり挟まったりしてしまうという不安感を払拭することができるものとなる。
【００５８】
前記主支持部材２１と前記補助支持部材２２とが、非平行に配されたものであるため、背凭れ３を強度に優れた態様で支持し得るものとなり、背凭れ３に着座者の荷重が作用しても主支持部材２１及び補助支持部材２２が変形しにくいものとなる。すなわち、主支持部材２１と補助支持部材２２とが平行であると、両支持部材２１、２２がともに中間部位で屈曲してしまうことが懸念されるところ、非平行であるとかかる懸念が生じないものとなる。しかも、主支持部材２１よりも下側に配され着座者の荷重に伴う圧縮力が作用し易い補助支持部材２２が後脚１１の上端部の伸張方向と略直角をなして配されているため、後脚１１を足場にした補助支持部材２２の全体で着座者の荷重を好適に受け付けるものとなり、中間の部位が変形してしまうようなことが抑制されたものとなっている。
【００５９】
前記主支持部材２１が、前記補助支持部材２２よりも薄肉に形成されたものであるため、主支持部材２１が軽い印象を付与し得る外観を呈するものとなり、椅子Ｃを見る者に対して視覚的に軽いような雰囲気を印象付け得るものとなる。
【００６０】
前記背板３１と前記肘掛け２の全部が、合成樹脂により一体に形成されているものである。このため、全体的な強度の向上や部品点数の削減に寄与するのみならず背板３１に対して樹脂の弾性変形を利用した適度なクッション性を付与し得るものとなる。
【００６１】
前記主支持部材２１が、上面に肘当て面２１ａを備えたものであるため、着座者の肘を置く部位として好適に機能し得るものとなる。
【００６２】
肘掛け２は、背凭れ３を支持するための支持体としての機能をも奏するものとなっている。
【００６３】
前記背板３１が、着座者の腰に対応する高さ位置に前記張り出し部３１２を備えている。このため、張り出し部３１２を基点として着座者の荷重を受けた背板本体３１１が柔軟に樹脂の弾性変形を利用して回動し得るものとなる。
【００６４】
なお、本発明は、以上に詳述した実施形態に限られるものではない。
【００６５】
上述した実施形態では、肘掛けを構成する主支持部材と補助部材と取付部は一体に構成されていたが、このようなものには限定されるものではなく、各部材が複数の部品によって構成されたものであってもよい。
【００６６】
図１２では、他の実施形態である肘掛け２を備えた椅子Ｃの一部を分解斜視図で示している。なお、当該他の実施形態において、前述した実施形態のものと同一又は対応する構成のものについては、同一の符号を付すこととし、説明を省略する。図１２に示す肘掛け２は主支持部材２１と補助支持部材２２とを別体に構成したものである。この実施形態では、肘掛け２は、合成樹脂により一体に形成された背板３１、主支持部材２１、及び、取付部２３の上部分２３Ｕと、当該一体に形成された部位とは別体に形成された部品すなわち合成樹脂により一体に形成された補助支持部材２２及び取付部２３の下部分２３Ｌとを備えている。補助支持部材２２は、その後端部側が背板３１の張り出し部３１２に対して図示しないねじ等により固定されるととともに前端部側が取付部２３の下部分２３Ｌを介して芯材たる肘掛け接続部１１２に取り付けられるようになっている。このようなものであっても、所期の目的を達成することができるものとなる。しかも、この実施形態のように、補助支持部材２２を備えた部位を主支持部材２１を備えた部位と別体に構成することにより、背板３１と主支持部材２１を備えた部位とを一体成形するために使用される金型が比較的複雑になりにくいものとなる。
【００６７】
椅子はスタッキング可能なものに限定されるものではなく、種々の椅子に適用することができる。
【００６８】
また、スタッキング可能な椅子においては、水平方向にスタッキングするものに限られるものではなく、上下方向にスタッキング可能に構成されたものであってもよい。
【００６９】
支持体は必ずしも肘掛けを構成したもので無くてもよい。例えば、支持体の上面が肘当て面を備えていないものであってもよい。
【００７０】
背凭れは、背板を備えたものであればよく、背カバーを設けていないものであってもよい。
【００７１】
主支持部材や補助支持部材の肉厚は、適宜決定することができるものであり、上述した実施形態のものに限定されるものではない。
【００７２】
張り出し部は、主支持部材と補助支持部材の間にのみに存在するものだけではなく、両支持部材を背板に強固に取り付けるための取付部分をすべて含む概念である。すなわち、上述した実施形態では、主支持部材及び補助支持部材の後端面を張り出し部に一体に連設していたが、各支持部材における後端部の上下端面、左右側端面、後端面の全部又は一部を接続し得るような張り出し部を設けるようにしてもよい。
【００７３】
その他、各部の具体的構成についても上記実施形態に限られるものではなく、本発明の趣旨を逸脱しない範囲で種々変形が可能である。
【符号の説明】
【００７４】
１…脚フレーム
２…肘掛け（支持体）
３…背凭れ
２１…主支持部材
２２…補助支持部材
２３…取付部
３１…背板
３１２…張り出し部
【図１】
0006492591.tif 000002
【図２】
0006492591.tif 000003
【図３】
0006492591.tif 000004
【図４】
0006492591.tif 000005
【図５】
0006492591.tif 000006
【図６】
0006492591.tif 000007
【図７】
0006492591.tif 000008
【図８】
0006492591.tif 000009
【図９】
0006492591.tif 000010
【図１０】
0006492591.tif 000011
【図１１】
0006492591.tif 000012
【図１２】
0006492591.tif 000013